(57)【要約】      （修正有）【課題】色鉛筆削り機構を備え、色鉛筆を削ることができる色鉛筆ケースを提供する。【解決手段】第一円柱体１０と第二円柱体１４との間に収納チャンバ１２と底部チャンバ３７とを形成させ、前記収納チャンバの左側には開口が設置され、前記収納チャンバは前記底部チャンバの頂部に位置しており、色鉛筆削り機構７２を備え、色鉛筆を削ることができる。また、本発明は二つの部分で構成され洗浄する時に分解でき、洗浄に便利である。【選択図】図１
2020182780.tif 000002
【特許請求の範囲】
【請求項１】
正面視で、第一円柱体と第二円柱体とを含み、前記第一円柱体の上下端面の中には長スライド溝が二組対称的に設置され、前記第二円柱体の左側端面には長固定板が二組固定的に、且つ上下対称に設置され、前記長固定板の左側端面にはいずれも小凹溝が設置され、前記小凹溝の中にはいずれも位置制限軸が固定的に設置され、前記長固定板は前記長スライド溝の中に挿されたことで、前記第一円柱体と前記第二円柱体との間に収納チャンバと底部チャンバとを形成させ、前記収納チャンバの左側には開口が設置され、前記収納チャンバは前記底部チャンバの頂部に位置しており、前記第一円柱体の右側端面には第一支持板が固定的に設置され、前記第二円柱体の左側端面には第二支持板が固定的に設置され、前記長スライド溝の片側端壁の中にはビスがネジ山によって連結され、前記長固定板が前記長スライド溝の中に挿された後に、前記ビスは前記長固定板を前記長スライド溝の外に滑り出さないように制限でき、それにより前記第一円柱体と前記第二円柱体とを固定することができ、前記第二円柱体の中には伝動チャンバが設置され、前記伝動チャンバの底部には円形チャンバが設置され、前記円形チャンバの中には把持機構が設置され、前記把持機構は色鉛筆を把持でき、前記円形チャンバの上下両側の端面にはいずれもスライド溝が設置され、前記底部チャンバの底壁には固定板が設置され、前記固定板と前記第二円柱体とは固定的に連結され、前記固定板の右側には色鉛筆削り機構が設置され、前記底部チャンバの底壁には固定ブロックが設され、前記固定ブロックと前記第一円柱体とは固定的に連結され、前記固定ブロックの中には動力機構が設置され、前記動力機構は前記色鉛筆削り機構に動力を提供でき、前記底部チャンバの左側端壁には外部と連通した連通溝が設置され、前記第二円柱体の底壁には削り屑収納ケースが設置されることを特徴とする色鉛筆ケース。
【請求項２】
前記把持機構はネジボルト軸含み、前記ネジボルト軸は二組の前記スライド溝の間に回転可能に設置され、前記ネジボルト軸の頂部は前記伝動チャンバの中に位置しており、且つ前記ネジボルト軸の末端には伝動歯車が固定的に設置され、二組の前記スライド溝の中にはいずれも挟みブロックがスライド可能に設置され、前記挟みブロックと前記ネジボルト軸とはネジ山によって連結され、前記挟みブロックのうち互いに近接した側の端面にはいずれも三角形溝が設置され、二組の前記三角形溝は前記色鉛筆をきつく挟むことができ、前記伝動チャンバの中には伝動回転軸が回転可能に設置され、前記伝動回転軸の外周には歯車が固定的に設置され、前記歯車と前記伝動歯車とは噛み合うように設置され、前記伝動チャンバの中にはラックがスライド可能に設置され、前記ラックは前記歯車の後側に位置しており、且つ前記ラックと前記歯車とは噛み合うように設置され、前記ラックの頂端にはスライドブロックが固定的に設置され、前記スライドブロックの片側端面には凹溝が設置されることを特徴とする請求項１に記載の色鉛筆ケース。
【請求項３】
前記色鉛筆削り機構は回転軸を含み、前記回転軸は前記固定板の中に回転可能に設置され、前記回転軸の右側末端には回転ブロックが固定的に設置され、前記回転ブロックの中には矩形溝が設置され、前記矩形溝の中には矩形ブロックがスライド可能に設置され、前記矩形ブロックの中には二組のシャープナーが設置され、前記矩形ブロックには連通口が四組均一に配置され、前記連通口は前記削り屑収納ケースに連通しており、前記矩形ブロックの左端と前記矩形溝の左側端壁との間にはばねが装着されることを特徴とする請求項１に記載の色鉛筆ケース。
【請求項４】
前記動力機構はスプラインスリーブを含み、前記スプラインスリーブは前記固定ブロックの中に回転可能に設置され、前記第一円柱体が前記第二円柱体と固定された後に、前記回転軸は前記スプラインスリーブの中に挿入され、且つ前記回転軸と前記スプラインスリーブとはスプラインによって連結され、前記スプラインスリーブの中にはスプライン軸がスプラインによって連結され、前記スプライン軸の左側末端には回転盤が固定的に設置され、前記回転軸の左側末端には引きリングが固定的に設置され、非使用状態にある時に、前記回転盤は前記連通溝の中に収納されていることを特徴とする請求項１に記載の色鉛筆ケース。
【請求項５】
前記第一円柱体と前記第二円柱体の底部端面とにはいずれも二組の支持ブロックが固定的に設置され、前記支持ブロックは前記第一円柱体と前記第二円柱体とを支持でき、前記収納チャンバの中には収納ケースがスライド可能に設置され、前記収納ケースの頂部端面には色鉛筆収納チャンバが設置され、前記色鉛筆収納チャンバの左右両側の端壁にはいずれもスポンジが固定的に設置されることを特徴とする請求項１に記載の色鉛筆ケース。
【発明の詳細な説明】
【技術分野】
【０００１】
本発明は文房具技術分野を取り上げ、具体的には色鉛筆ケースである。
【背景技術】
【０００２】
市販する色鉛筆ケースには様々な欠陥がある。まず、基本的に収納機能のみを備えている。そして、ペンケースに収納されても芯が簡単に折れたりする。また、新しい色鉛筆を使う時に、削る必要のある場合は多々あるが、シャープナーを持ち忘れることも多々あるため、色鉛筆が使えなくなってしまう。あるいはシャープナーを探すのに手間がかかる。さらに、カンペン、特にその内層部分は洗浄しにくいことである。
【先行技術文献】
【特許文献】
【０００３】
【特許文献１】中国特許出願公開第１０５４７６２３８号明細書
【発明の概要】
【発明が解決しようとする課題】
【０００４】
本発明は色鉛筆ケースを提供し、既存技術にある上記の欠点を解消することを目的とする。
【課題を解決するための手段】
【０００５】
本発明の色鉛筆ケースは、第一円柱体と第二円柱体とを含み、前記第一円柱体の上下端面の中には長スライド溝が二組対称的に設置され、前記第二円柱体の左側端面には長固定板が二組固定的に、且つ上下対称に設置され、前記長固定板の左側端面にはいずれも小凹溝が設置され、前記小凹溝の中にはいずれも位置制限軸が固定的に設置され、前記長固定板は前記長スライド溝の中に挿されたことで、前記第一円柱体と前記第二円柱体との間に収納チャンバと底部チャンバとを形成させ、前記収納チャンバの左側には開口が設置され、前記収納チャンバは前記底部チャンバの頂部に位置しており、前記第一円柱体の右側端面には第一支持板が固定的に設置され、前記第二円柱体の左側端面には第二支持板が固定的に設置され、前記長スライド溝の片側端壁の中にはビスがネジ山によって連結され、前記長固定板が前記長スライド溝の中に挿された後に、前記ビスは前記長固定板を前記長スライド溝の外に滑り出さないように制限でき、それにより前記第一円柱体と前記第二円柱体とを固定することができ、前記第二円柱体の中には伝動チャンバが設置され、前記伝動チャンバの底部には円形チャンバが設置され、前記円形チャンバの中には把持機構が設置され、前記把持機構は色鉛筆を把持でき、前記円形チャンバの上下両側の端面にはいずれもスライド溝が設置され、前記底部チャンバの底壁には固定板が設置され、前記固定板と前記第二円柱体とは固定的に連結され、前記固定板の右側には色鉛筆削り機構が設置され、前記底部チャンバの底壁には固定ブロックが設され、前記固定ブロックと前記第一円柱体とは固定的に連結され、前記固定ブロックの中には動力機構が設置され、前記動力機構は前記色鉛筆削り機構に動力を提供でき、前記底部チャンバの左側端壁には外部と連通した連通溝が設置され、前記第二円柱体の底壁には削り屑収納ケースが設置される。
【０００６】
さらなる技術プランとして、前記把持機構はネジボルト軸含み、前記ネジボルト軸は二組の前記スライド溝の間に回転可能に設置され、前記ネジボルト軸の頂部は前記伝動チャンバの中に位置しており、且つ前記ネジボルト軸の末端には伝動歯車が固定的に設置され、二組の前記スライド溝の中にはいずれも挟みブロックがスライド可能に設置され、前記挟みブロックと前記ネジボルト軸とはネジ山によって連結され、前記挟みブロックのうち互いに近接した側の端面にはいずれも三角形溝が設置され、二組の前記三角形溝は前記色鉛筆をきつく挟むことができ、前記伝動チャンバの中には伝動回転軸が回転可能に設置され、前記伝動回転軸の外周には歯車が固定的に設置され、前記歯車と前記伝動歯車とは噛み合うように設置され、前記伝動チャンバの中にはラックがスライド可能に設置され、前記ラックは前記歯車の後側に位置しており、且つ前記ラックと前記歯車とは噛み合うように設置され、前記ラックの頂端にはスライドブロックが固定的に設置され、前記スライドブロックの片側端面には凹溝が設置される。
【０００７】
さらなる技術プランとして、前記色鉛筆削り機構は回転軸を含み、前記回転軸は前記固定板の中に回転可能に設置され、前記回転軸の右側末端には回転ブロックが固定的に設置され、前記回転ブロックの中には矩形溝が設置され、前記矩形溝の中には矩形ブロックがスライド可能に設置され、前記矩形ブロックの中には二組のシャープナーが設置され、前記矩形ブロックには連通口が四組均一に配置され、前記連通口は前記削り屑収納ケースに連通しており、前記矩形ブロックの左端と前記矩形溝の左側端壁との間にはばねが装着される。
【０００８】
さらなる技術プランとして、前記動力機構はスプラインスリーブを含み、前記スプラインスリーブは前記固定ブロックの中に回転可能に設置され、前記第一円柱体が前記第二円柱体と固定された後に、前記回転軸は前記スプラインスリーブの中に挿入され、且つ前記回転軸と前記スプラインスリーブとはスプラインによって連結され、前記スプラインスリーブの中にはスプライン軸がスプラインによって連結され、前記スプライン軸の左側末端には回転盤が固定的に設置され、前記回転軸の左側末端には引きリングが固定的に設置され、非使用状態にある時に、前記回転盤は前記連通溝の中に収納されている。
【０００９】
さらなる技術プランとして、前記第一円柱体と前記第二円柱体の底部端面とにはいずれも二組の支持ブロックが固定的に設置され、前記支持ブロックは前記第一円柱体と前記第二円柱体とを支持でき、前記収納チャンバの中には収納ケースがスライド可能に設置され、前記収納ケースの頂部端面には色鉛筆収納チャンバが設置され、前記色鉛筆収納チャンバの左右両側の端壁にはいずれもスポンジが固定的に設置される。
【発明の効果】
【００１０】
本発明のメリットは：伝統的なペンケースに比べると、本発明のペンケースは色鉛筆削り機構を備え、色鉛筆を削ることができ、また、本発明は二つの部分で構成され、洗浄する時に分解でき、洗浄に便利である。
【図面の簡単な説明】
【００１１】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１２】
【図１】図１は本発明の色鉛筆ケースの内部全体構成略図
【図２】図２は本発明における挟みブロックの略図
【図３】図３は本発明における長固定板の略図
【図４】図４は本発明における長固定板の局部拡大略図
【図５】図５は本発明における伝動チャンバの局部拡大略図
【発明を実施するための形態】
【００１３】
図１〜５を参照し、本発明の色鉛筆ケースは、第一円柱体１０と第二円柱体１４とを含み、前記第一円柱体１０の上下端面の中には長スライド溝１３が二組対称的に設置され、前記第二円柱体１４の左側端面には長固定板４４が二組固定的に、且つ上下対称に設置され、前記長固定板４４の左側端面にはいずれも小凹溝４６が設置され、前記小凹溝４６の中にはいずれも位置制限軸６５が固定的に設置され、前記長固定板４４は前記長スライド溝１３の中に挿されたことで、前記第一円柱体１０と前記第二円柱体１４との間に収納チャンバ１２と底部チャンバ３７とを形成させ、前記収納チャンバ１２の左側には開口が設置され、前記収納チャンバ１２は前記底部チャンバ３７の頂部に位置しており、前記第一円柱体１０の右側端面には第一支持板３４が固定的に設置され、前記第二円柱体１４の左側端面には第二支持板３３が固定的に設置され、前記長スライド溝１３の片側端壁の中にはビス４８がネジ山によって連結され、前記長固定板４４が前記長スライド溝１３の中に挿された  後に、前記ビス４８は前記長固定板４４を前記長スライド溝１３の外に滑り出さないように制限でき、それにより前記第一円柱体１０と前記第二円柱体１４とを固定することができ、前記第二円柱体１４の中には伝動チャンバ１７が設置され、前記伝動チャンバ１７の底部には円形チャンバ１８が設置され、前記円形チャンバ１８の中には把持機構７３が設置され、前記把持機構７３は色鉛筆２１を把持でき、前記円形チャンバ１８の上下両側の端面にはいずれもスライド溝１９が設置され、前記底部チャンバ３７の底壁には固定板４２が設置され、前記固定板４２と前記第二円柱体１４とは固定的に連結され、前記固定板４２の右側には色鉛筆削り機構７２が設置され、前記底部チャンバ３７の底壁には固定ブロック３８が設され、前記固定ブロック３８と前記第一円柱体１０とは固定的に連結され、前記固定ブロック３８の中には動力機構７１が設置され、前記動力機構７１は前記色鉛筆削り機構７２に動力を提供でき、前記底部チャンバ３７の左側端壁には外部と連通した連通溝３５が設置され、前記第二円柱体１４の底壁には削り屑収納ケース２３が設置され、前記削り屑収納ケース２３は削り屑を収納できる。
【００１４】
前記把持機構７３はネジボルト軸５３含み、前記ネジボルト軸５３は二組の前記スライド溝１９の間に回転可能に設置され、前記ネジボルト軸５３の頂部は前記伝動チャンバ１７の中に位置しており、且つ前記ネジボルト軸５３の末端には伝動歯車５２が固定的に設置され、二組の前記スライド溝１９の中にはいずれも挟みブロック２０がスライド可能に設置され、前記挟みブロック２０と前記ネジボルト軸５３とはネジ山によって連結され、前記挟みブロック２０のうち互いに近接した側の端面にはいずれも三角形溝５４が設置され、二組の前記三角形溝５４は前記色鉛筆２１をきつく挟むことができ、前記伝動チャンバ１７の中には伝動回転軸５１が回転可能に設置され、前記伝動回転軸５１の外周には歯車５０が固定的に設置され、前記歯車５０と前記伝動歯車５２とは噛み合うように設置され、前記伝動チャンバ１７の中にはラック４９がスライド可能に設置され、前記ラック４９は前記歯車５０の後側に位置しており、且つ前記ラック４９と前記歯車５０とは噛み合うように設置され、前記ラック４９の頂端にはスライドブロック１５が固定的に設置され、前記スライドブロック１５の片側端面には凹溝１６が設置され、
手で前記色鉛筆２１を前記円形チャンバ１８の中に挿し込み、そして前記スライドブロック１５を上に引き上げることで、前記ラック４９に前記歯車５０を回転連動させ、それにより前記伝動歯車５２を回転させ、それにより前記ネジボルト軸５３は回転して二組の前記挟みブロック２０を互いに近寄らせ、前記色鉛筆２１をきつく挟む。
【００１５】
前記色鉛筆削り機構７２は回転軸４１を含み、前記回転軸４１は前記固定板４２の中に回転可能に設置され、前記回転軸４１の右側末端には回転ブロック３２が固定的に設置され、前記回転ブロック３２の中には矩形溝３１が設置され、前記矩形溝３１の中には矩形ブロック２７がスライド可能に設置され、前記矩形ブロック２７の中には二組のシャープナー２８が設置され、前記矩形ブロック２７には連通口２６が四組均一に配置され、前記連通口２６は前記削り屑収納ケース２３に連通しており、前記矩形ブロック２７の左端と前記矩形溝３１の左側端壁との間にはばね３０が装着され、
前記色鉛筆２１を前記円形チャンバ１８の中に挿し込むことで、前記色鉛筆２１を前記矩形ブロック２７の中に入らせ、且つ前記色鉛筆２１と前記シャープナー２８とを当接させ、そして、前記動力機構７１を制御することで、前記回転ブロック３２を回転させ、それにより前記矩形ブロック２７を回転させ、色鉛筆を削りはじめる。
【００１６】
前記動力機構７１はスプラインスリーブ４０を含み、前記スプラインスリーブ４０は前記固定ブロック３８の中に回転可能に設置され、前記第一円柱体１０が前記第二円柱体１４と固定された後に、前記回転軸４１は前記スプラインスリーブ４０の中に挿入され、且つ前記回転軸４１と前記スプラインスリーブ４０とはスプラインによって連結され、前記スプラインスリーブ４０の中にはスプライン軸３９がスプラインによって連結され、前記スプライン軸３９の左側末端には回転盤３６が固定的に設置され、前記回転軸３６の左側末端には引きリング４３が固定的に設置され、
非使用状態にある時に、前記回転盤３６は前記連通溝３５の中に収納されており、使用時に、前記引きリング４３を引張ることで、前記回転盤３６を前記連通溝３５の外に引き出し、手で前記回転盤３６を回し、前記スプライン軸３９に前記スプラインスリーブ４０の回転を連動させ、それにより前記回転軸４１を回転させ、それにより、前記色鉛筆削り機構７２に動力を提供する。  
【００１７】
前記第一円柱体１０と前記第二円柱体１４の底部端面とにはいずれも二組の支持ブロック２２が固定的に設置され、前記支持ブロック２２は前記第一円柱体１０と前記第二円柱体１４とを支持でき、前記収納チャンバ１２の中には収納ケース６０がスライド可能に設置され、前記収納ケース６０の頂部端面には色鉛筆収納チャンバ６１が設置され、前記色鉛筆収納チャンバ６１の左右両側の端壁にはいずれもスポンジ１１が固定的に設置され、
前記スポンジ１１は前記色鉛筆２１の芯を保護し、芯が折られることを防げる。
【００１８】
使用時に、まず第一円柱体１０と第二円柱体１４とを当接させ、長固定板４４を長スライド溝１３の中に挿し込み、同時にビス４８をきつく締めることで、第一円柱体１０と第二円柱体１４とを固定し、そして収納ケース６０を収納チャンバ１２の中に入れ、収納ケース６０を引き出すことで色鉛筆２１を色鉛筆収納ケース６１の中に収納でき、色鉛筆２１を削る時に、色鉛筆２１を円形チャンバ１８の中に挿し込み、色鉛筆２１を矩形ブロック２７の中に入らせ、且つ色鉛筆２１とシャープナー２８とを当接させ、そして手でスライドブロック１５を上に引き上げ、ラック４９に歯車５０の回転を連動させ、それにより伝動歯車５２を回転させ、それによりネジボルト軸５３は回転し、それにより二組の前記挟みブロック２０を互いに近寄らせ、色鉛筆２１をきつく挟み、そして手で回転盤３６を回し、スプライン軸３９にスプラインスリーブ４０の回転を連動させ、それにより回転軸４１を回転させ、それにより回転ブロック３２は回転し、色鉛筆２１を削りはじめる。
【００１９】
本発明の有益な効果は：伝統的なペンケースに比べると、本発明のペンケースは色鉛筆削り機構を備え、色鉛筆を削ることができ、また、本発明は二つの部分で構成され、洗浄する時に分解でき、洗浄に便利である。
【００２０】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020182780.tif 000003
【図２】
2020182780.tif 000004
【図３】
2020182780.tif 000005
【図４】
2020182780.tif 000006
【図５】
2020182780.tif 000007
【手続補正書】
【提出日】令和2年1月10日(2020.1.10)
【手続補正１】
【補正対象書類名】特許請求の範囲
【補正対象項目名】全文
【補正方法】変更
【補正の内容】
【特許請求の範囲】
【請求項１】
正面視で、第一円柱体と第二円柱体とを含み、前記第一円柱体の上下端面の中には長スライド溝が二組対称的に設置され、前記第二円柱体の左側端面には長固定板が二組固定的に、且つ上下対称に設置され、前記長固定板の左側端面にはいずれも小凹溝が設置され、前記小凹溝の中にはいずれも位置制限軸が固定的に設置され、前記長固定板は前記長スライド溝の中に挿されたことで、前記第一円柱体と前記第二円柱体との間に収納チャンバと底部チャンバとを形成させ、前記収納チャンバの左側には開口が設置され、前記収納チャンバは前記底部チャンバの頂部に位置しており、前記第一円柱体の中間部分には第一支持板が固定的に設置され、前記第二円柱体の中間部分には第二支持板が固定的に設置され、前記長スライド溝の片側端壁の中にはビスがネジ山によって連結され、前記長固定板が前記長スライド溝の中に挿された後に、前記ビスは前記長固定板を前記長スライド溝の外に滑り出さないように制限でき、それにより前記第一円柱体と前記第二円柱体とを固定することができ、前記第二円柱体の中には伝動チャンバが設置され、前記伝動チャンバの下側には円形チャンバが設置され、前記円形チャンバの中には把持機構が設置され、前記把持機構は色鉛筆を把持でき、前記円形チャンバの上下両側の端面にはいずれもスライド溝が設置され、前記底部チャンバの底壁には固定板が設置され、前記固定板と前記第二円柱体とは固定的に連結され、前記固定板の右側には色鉛筆削り機構が設置され、前記底部チャンバの底壁には固定ブロックが設され、前記固定ブロックと前記第一円柱体とは固定的に連結され、前記固定ブロックの中には動力機構が設置され、前記動力機構は前記色鉛筆削り機構に動力を提供でき、前記底部チャンバの左側端壁には外部と連通した連通溝が設置され、前記第二円柱体の底壁には削り屑収納ケースが設置されることを特徴とする色鉛筆ケース。
【請求項２】
前記把持機構はネジボルト軸を含み、前記ネジボルト軸は二組の前記スライド溝の間に回転可能に設置され、前記ネジボルト軸の頂部は前記伝動チャンバの中に位置しており、且つ前記ネジボルト軸の末端には伝動歯車が固定的に設置され、二組の前記スライド溝の中にはいずれも挟みブロックがスライド可能に設置され、前記挟みブロックと前記ネジボルト軸とはネジ山によって連結され、前記挟みブロックのうち互いに近接した側の端面にはいずれも三角形溝が設置され、二組の前記三角形溝は前記色鉛筆をきつく挟むことができ、前記伝動チャンバの中には伝動回転軸が回転可能に設置され、前記伝動回転軸の外周には歯車が固定的に設置され、前記歯車と前記伝動歯車とは噛み合うように設置され、前記伝動チャンバの中にはラックがスライド可能に設置され、前記ラックは前記歯車の後側に位置しており、且つ前記ラックと前記歯車とは噛み合うように設置され、前記ラックの頂端にはスライドブロックが固定的に設置され、前記スライドブロックの片側端面には凹溝が設置されることを特徴とする請求項１に記載の色鉛筆ケース。
【請求項３】
前記色鉛筆削り機構は回転軸を含み、前記回転軸は前記固定板の中に回転可能に設置され、前記回転軸の右側末端には回転ブロックが固定的に設置され、前記回転ブロックの中には矩形溝が設置され、前記矩形溝の中には矩形ブロックがスライド可能に設置され、前記矩形ブロックの中には二組のシャープナーが設置され、前記矩形ブロックには連通口が四組均一に配置され、前記連通口は前記削り屑収納ケースに連通しており、前記矩形ブロックの左端と前記矩形溝の左側端壁との間にはばねが装着されることを特徴とする請求項１に記載の色鉛筆ケース。
【請求項４】
前記動力機構はスプラインスリーブを含み、前記スプラインスリーブは前記固定ブロックの中に回転可能に設置され、前記第一円柱体が前記第二円柱体と固定された後に、前記回転軸は前記スプラインスリーブの中に挿入され、且つ前記回転軸と前記スプラインスリーブとはスプラインによって連結され、前記スプラインスリーブの中にはスプライン軸がスプラインによって連結され、前記スプライン軸の左側末端には回転盤が固定的に設置され、前記回転軸の左側末端には引きリングが固定的に設置され、非使用状態にある時に、前記回転盤は前記連通溝の中に収納されていることを特徴とする請求項３に記載の色鉛筆ケース。
【請求項５】
前記第一円柱体と前記第二円柱体の底部端面とにはいずれも二組の支持ブロックが固定的に設置され、前記支持ブロックは前記第一円柱体と前記第二円柱体とを支持でき、前記収納チャンバの中には収納ケースがスライド可能に設置され、前記収納ケースの頂部端面には色鉛筆収納チャンバが設置され、前記色鉛筆収納チャンバの左右両側の端壁にはいずれもスポンジが固定的に設置されることを特徴とする請求項１に記載の色鉛筆ケース。
【手続補正２】
【補正対象書類名】明細書
【補正対象項目名】全文
【補正方法】変更
【補正の内容】
【発明の詳細な説明】
【技術分野】
【０００１】
本発明は文房具技術分野を取り上げ、具体的には色鉛筆ケースである。
【背景技術】
【０００２】
市販する色鉛筆ケースには様々な欠陥がある。まず、基本的に収納機能のみを備えている。そして、ペンケースに収納されても芯が簡単に折れたりする。また、新しい色鉛筆を使う時に、削る必要のある場合は多々あるが、シャープナーを持ち忘れることも多々あるため、色鉛筆が使えなくなってしまう。あるいはシャープナーを探すのに手間がかかる。さらに、カンペン、特にその内層部分は洗浄しにくいことである。
【先行技術文献】
【特許文献】
【０００３】
【特許文献１】中国特許出願公開第１０５４７６２３８号明細書
【発明の概要】
【発明が解決しようとする課題】
【０００４】
本発明は色鉛筆ケースを提供し、既存技術にある上記の欠点を解消することを目的とする。
【課題を解決するための手段】
【０００５】
本発明の色鉛筆ケースは、第一円柱体と第二円柱体とを含み、前記第一円柱体の上下端面の中には長スライド溝が二組対称的に設置され、前記第二円柱体の左側端面には長固定板が二組固定的に、且つ上下対称に設置され、前記長固定板の左側端面にはいずれも小凹溝が設置され、前記小凹溝の中にはいずれも位置制限軸が固定的に設置され、前記長固定板は前記長スライド溝の中に挿されたことで、前記第一円柱体と前記第二円柱体との間に収納チャンバと底部チャンバとを形成させ、前記収納チャンバの左側には開口が設置され、前記収納チャンバは前記底部チャンバの頂部に位置しており、前記第一円柱体の中間部分には第一支持板が固定的に設置され、前記第二円柱体の中間部分には第二支持板が固定的に設置され、前記長スライド溝の片側端壁の中にはビスがネジ山によって連結され、前記長固定板が前記長スライド溝の中に挿された後に、前記ビスは前記長固定板を前記長スライド溝の外に滑り出さないように制限でき、それにより前記第一円柱体と前記第二円柱体とを固定することができ、前記第二円柱体の中には伝動チャンバが設置され、前記伝動チャンバの下側には円形チャンバが設置され、前記円形チャンバの中には把持機構が設置され、前記把持機構は色鉛筆を把持でき、前記円形チャンバの上下両側の端面にはいずれもスライド溝が設置され、前記底部チャンバの底壁には固定板が設置され、前記固定板と前記第二円柱体とは固定的に連結され、前記固定板の右側には色鉛筆削り機構が設置され、前記底部チャンバの底壁には固定ブロックが設され、前記固定ブロックと前記第一円柱体とは固定的に連結され、前記固定ブロックの中には動力機構が設置され、前記動力機構は前記色鉛筆削り機構に動力を提供でき、前記底部チャンバの左側端壁には外部と連通した連通溝が設置され、前記第二円柱体の底壁には削り屑収納ケースが設置される。
【０００６】
さらなる技術プランとして、前記把持機構はネジボルト軸を含み、前記ネジボルト軸は二組の前記スライド溝の間に回転可能に設置され、前記ネジボルト軸の頂部は前記伝動チャンバの中に位置しており、且つ前記ネジボルト軸の末端には伝動歯車が固定的に設置され、二組の前記スライド溝の中にはいずれも挟みブロックがスライド可能に設置され、前記挟みブロックと前記ネジボルト軸とはネジ山によって連結され、前記挟みブロックのうち互いに近接した側の端面にはいずれも三角形溝が設置され、二組の前記三角形溝は前記色鉛筆をきつく挟むことができ、前記伝動チャンバの中には伝動回転軸が回転可能に設置され、前記伝動回転軸の外周には歯車が固定的に設置され、前記歯車と前記伝動歯車とは噛み合うように設置され、前記伝動チャンバの中にはラックがスライド可能に設置され、前記ラックは前記歯車の後側に位置しており、且つ前記ラックと前記歯車とは噛み合うように設置され、前記ラックの頂端にはスライドブロックが固定的に設置され、前記スライドブロックの片側端面には凹溝が設置される。
【０００７】
さらなる技術プランとして、前記色鉛筆削り機構は回転軸を含み、前記回転軸は前記固定板の中に回転可能に設置され、前記回転軸の右側末端には回転ブロックが固定的に設置され、前記回転ブロックの中には矩形溝が設置され、前記矩形溝の中には矩形ブロックがスライド可能に設置され、前記矩形ブロックの中には二組のシャープナーが設置され、前記矩形ブロックには連通口が四組均一に配置され、前記連通口は前記削り屑収納ケースに連通しており、前記矩形ブロックの左端と前記矩形溝の左側端壁との間にはばねが装着される。
【０００８】
さらなる技術プランとして、前記動力機構はスプラインスリーブを含み、前記スプラインスリーブは前記固定ブロックの中に回転可能に設置され、前記第一円柱体が前記第二円柱体と固定された後に、前記回転軸は前記スプラインスリーブの中に挿入され、且つ前記回転軸と前記スプラインスリーブとはスプラインによって連結され、前記スプラインスリーブの中にはスプライン軸がスプラインによって連結され、前記スプライン軸の左側末端には回転盤が固定的に設置され、前記回転軸の左側末端には引きリングが固定的に設置され、非使用状態にある時に、前記回転盤は前記連通溝の中に収納されている。
【０００９】
さらなる技術プランとして、前記第一円柱体と前記第二円柱体の底部端面とにはいずれも二組の支持ブロックが固定的に設置され、前記支持ブロックは前記第一円柱体と前記第二円柱体とを支持でき、前記収納チャンバの中には収納ケースがスライド可能に設置され、前記収納ケースの頂部端面には色鉛筆収納チャンバが設置され、前記色鉛筆収納チャンバの左右両側の端壁にはいずれもスポンジが固定的に設置される。
【発明の効果】
【００１０】
本発明のメリットは：伝統的なペンケースに比べると、本発明のペンケースは色鉛筆削り機構を備え、色鉛筆を削ることができ、また、本発明は二つの部分で構成され、洗浄する時に分解でき、洗浄に便利である。
【図面の簡単な説明】
【００１１】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１２】
【図１】図１は本発明の色鉛筆ケースの内部全体構成略図
【図２】図２は本発明における挟みブロックの略図
【図３】図３は本発明における長固定板の略図
【図４】図４は本発明における長固定板の局部拡大略図
【図５】図５は本発明における伝動チャンバの局部拡大略図
【発明を実施するための形態】
【００１３】
図１〜５を参照し、本発明の色鉛筆ケースは、第一円柱体１０と第二円柱体１４とを含み、前記第一円柱体１０の上下端面の中には長スライド溝１３が二組対称的に設置され、前記第二円柱体１４の左側端面には長固定板４４が二組固定的に、且つ上下対称に設置され、前記長固定板４４の左側端面にはいずれも小凹溝４６が設置され、前記小凹溝４６の中にはいずれも位置制限軸６５が固定的に設置され、前記長固定板４４は前記長スライド溝１３の中に挿されたことで、前記第一円柱体１０と前記第二円柱体１４との間に収納チャンバ１２と底部チャンバ３７とを形成させ、前記収納チャンバ１２の左側には開口が設置され、前記収納チャンバ１２は前記底部チャンバ３７の頂部に位置しており、前記第一円柱体１０の中間部分には第一支持板３４が固定的に設置され、前記第二円柱体１４の中間部分には第二支持板３３が固定的に設置され、前記長スライド溝１３の片側端壁の中にはビス４８がネジ山によって連結され、前記長固定板４４が前記長スライド溝１３の中に挿された  後に、前記ビス４８は前記長固定板４４を前記長スライド溝１３の外に滑り出さないように制限でき、それにより前記第一円柱体１０と前記第二円柱体１４とを固定することができ、前記第二円柱体１４の中には伝動チャンバ１７が設置され、前記伝動チャンバ１７の下側には円形チャンバ１８が設置され、前記円形チャンバ１８の中には把持機構７３が設置され、前記把持機構７３は色鉛筆２１を把持でき、前記円形チャンバ１８の上下両側の端面にはいずれもスライド溝１９が設置され、前記底部チャンバ３７の底壁には固定板４２が設置され、前記固定板４２と前記第二円柱体１４とは固定的に連結され、前記固定板４２の右側には色鉛筆削り機構７２が設置され、前記底部チャンバ３７の底壁には固定ブロック３８が設され、前記固定ブロック３８と前記第一円柱体１０とは固定的に連結され、前記固定ブロック３８の中には動力機構７１が設置され、前記動力機構７１は前記色鉛筆削り機構７２に動力を提供でき、前記底部チャンバ３７の左側端壁には外部と連通した連通溝３５が設置され、前記第二円柱体１４の底壁には削り屑収納ケース２３が設置され、前記削り屑収納ケース２３は削り屑を収納できる。
【００１４】
前記把持機構７３はネジボルト軸５３を含み、前記ネジボルト軸５３は二組の前記スライド溝１９の間に回転可能に設置され、前記ネジボルト軸５３の頂部は前記伝動チャンバ１７の中に位置しており、且つ前記ネジボルト軸５３の末端には伝動歯車５２が固定的に設置され、二組の前記スライド溝１９の中にはいずれも挟みブロック２０がスライド可能に設置され、前記挟みブロック２０と前記ネジボルト軸５３とはネジ山によって連結され、前記挟みブロック２０のうち互いに近接した側の端面にはいずれも三角形溝５４が設置され、二組の前記三角形溝５４は前記色鉛筆２１をきつく挟むことができ、前記伝動チャンバ１７の中には伝動回転軸５１が回転可能に設置され、前記伝動回転軸５１の外周には歯車５０が固定的に設置され、前記歯車５０と前記伝動歯車５２とは噛み合うように設置され、前記伝動チャンバ１７の中にはラック４９がスライド可能に設置され、前記ラック４９は前記歯車５０の後側に位置しており、且つ前記ラック４９と前記歯車５０とは噛み合うように設置され、前記ラック４９の頂端にはスライドブロック１５が固定的に設置され、前記スライドブロック１５の片側端面には凹溝１６が設置され、
手で前記色鉛筆２１を前記円形チャンバ１８の中に挿し込み、そして前記スライドブロック１５を上に引き上げることで、前記ラック４９に前記歯車５０を回転連動させ、それにより前記伝動歯車５２を回転させ、それにより前記ネジボルト軸５３は回転して二組の前記挟みブロック２０を互いに近寄らせ、前記色鉛筆２１をきつく挟む。
【００１５】
前記色鉛筆削り機構７２は回転軸４１を含み、前記回転軸４１は前記固定板４２の中に回転可能に設置され、前記回転軸４１の右側末端には回転ブロック３２が固定的に設置され、前記回転ブロック３２の中には矩形溝３１が設置され、前記矩形溝３１の中には矩形ブロック２７がスライド可能に設置され、前記矩形ブロック２７の中には二組のシャープナー２８が設置され、前記矩形ブロック２７には連通口２６が四組均一に配置され、前記連通口２６は前記削り屑収納ケース２３に連通しており、前記矩形ブロック２７の左端と前記矩形溝３１の左側端壁との間にはばね３０が装着され、
前記色鉛筆２１を前記円形チャンバ１８の中に挿し込むことで、前記色鉛筆２１を前記矩形ブロック２７の中に入らせ、且つ前記色鉛筆２１と前記シャープナー２８とを当接させ、そして、前記動力機構７１を制御することで、前記回転ブロック３２を回転させ、それにより前記矩形ブロック２７を回転させ、色鉛筆を削りはじめる。
【００１６】
前記動力機構７１はスプラインスリーブ４０を含み、前記スプラインスリーブ４０は前記固定ブロック３８の中に回転可能に設置され、前記第一円柱体１０が前記第二円柱体１４と固定された後に、前記回転軸４１は前記スプラインスリーブ４０の中に挿入され、且つ前記回転軸４１と前記スプラインスリーブ４０とはスプラインによって連結され、前記スプラインスリーブ４０の中にはスプライン軸３９がスプラインによって連結され、前記スプライン軸３９の左側末端には回転盤３６が固定的に設置され、前記回転軸３６の左側末端には引きリング４３が固定的に設置され、
非使用状態にある時に、前記回転盤３６は前記連通溝３５の中に収納されており、使用時に、前記引きリング４３を引張ることで、前記回転盤３６を前記連通溝３５の外に引き出し、手で前記回転盤３６を回し、前記スプライン軸３９に前記スプラインスリーブ４０の回転を連動させ、それにより前記回転軸４１を回転させ、それにより、前記色鉛筆削り機構７２に動力を提供する。  
【００１７】
前記第一円柱体１０と前記第二円柱体１４の底部端面とにはいずれも二組の支持ブロック２２が固定的に設置され、前記支持ブロック２２は前記第一円柱体１０と前記第二円柱体１４とを支持でき、前記収納チャンバ１２の中には収納ケース６０がスライド可能に設置され、前記収納ケース６０の頂部端面には色鉛筆収納チャンバ６１が設置され、前記色鉛筆収納チャンバ６１の左右両側の端壁にはいずれもスポンジ１１が固定的に設置され、前記スポンジ１１は前記色鉛筆２１の芯を保護し、芯が折られることを防げる。
【００１８】
使用時に、まず第一円柱体１０と第二円柱体１４とを当接させ、長固定板４４を長スライド溝１３の中に挿し込み、同時にビス４８をきつく締めることで、第一円柱体１０と第二円柱体１４とを固定し、そして収納ケース６０を収納チャンバ１２の中に入れ、収納ケース６０を引き出すことで色鉛筆２１を色鉛筆収納ケース６１の中に収納でき、色鉛筆２１を削る時に、色鉛筆２１を円形チャンバ１８の中に挿し込み、色鉛筆２１を矩形ブロック２７の中に入らせ、且つ色鉛筆２１とシャープナー２８とを当接させ、そして手でスライドブロック１５を上に引き上げ、ラック４９に歯車５０の回転を連動させ、それにより伝動歯車５２を回転させ、それによりネジボルト軸５３は回転し、それにより二組の前記挟みブロック２０を互いに近寄らせ、色鉛筆２１をきつく挟み、そして手で回転盤３６を回し、スプライン軸３９にスプラインスリーブ４０の回転を連動させ、それにより回転軸４１を回転させ、それにより回転ブロック３２は回転し、色鉛筆２１を削りはじめる。
【００１９】
本発明の有益な効果は：伝統的なペンケースに比べると、本発明のペンケースは色鉛筆削り機構を備え、色鉛筆を削ることができ、また、本発明は二つの部分で構成され、洗浄する時に分解でき、洗浄に便利である。
【００２０】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【手続補正３】
【補正対象書類名】図面
【補正対象項目名】図１
【補正方法】変更
【補正の内容】
【図１】
2020182780.tif 000008
【手続補正４】
【補正対象書類名】図面
【補正対象項目名】図４
【補正方法】変更
【補正の内容】
【図４】
2020182780.tif 000009